(57)【要約】【課題】台間機のカセット式金庫が不正行為によって取り出されることを未然に防止するための防犯機能を備えた遊技台用台間機を提案すること。【解決手段】遊技台用台間機６では、ロック解除センサ２８の出力に基づきカセット式金庫１３のロックが正常に解除されたことを検知し、金庫センサ２７の出力に基づき不正行為によりカセット式金庫１３が引き抜かれたことを検知する。カセット式金庫１３が不正行為により引き抜かれた場合には、表示ランプ２９、警報用スピーカ３０を駆動して警報を発生し、警報信号をホールコンピュータ８に送信する。ホールコンピュータ８は警報信号を受け取ると、監視カメラ９により警報発生元の台間機５を撮影し、撮影画像を記憶装置１０に保持する。【選択図】      図３
2004209097.tif 000002
【特許請求の範囲】
【請求項１】
隣接配置された遊技台に対する遊技媒体の貸し出し処理を行う遊技台用台間機において、
台間機ケースと、
前記台間機ケースの前面に形成されている紙幣挿入口と、
前記紙幣挿入口から挿入された紙幣の真偽、あるいは、真偽および種類を判別する紙幣識別部と、
前記台間機ケース内に配置され、真札であると判断された紙幣を収納する金庫と、
前記金庫が開けられたことを検知する金庫センサと、
前記金庫センサの出力に基づき、前記金庫が開けられた旨の警報を発生する警報手段と、
を有している遊技台用台間機。
【請求項２】
請求項１において、
前記金庫は、前記台間機ケースの前面から取り外し可能なカセット式の金庫であり、
前記金庫センサは、前記金庫が前記台間機ケースから取り外されたことを検知することを特徴とする遊技台用台間機。
【請求項３】
請求項１において、
前記金庫の扉をロックしているロック機構と、
前記ロック機構が正常に解除されたことを検知するロック解除センサと、
前記ロック解除センサにより前記ロック機構が正常に解除されたことが検知された場合には、前記警報手段を不動作状態にする警報解除手段と、
を有している遊技台用台間機。
【請求項４】
請求項２において、
前記金庫を前記台間機ケースに固定しているロック機構と、
前記ロック機構が正常に解除されたことを検知するロック解除センサと、
前記ロック解除センサにより前記ロック機構が正常に解除されたことが検知された場合には、前記警報手段を不動作状態にする警報解除手段と、
を有している遊技台用台間機。
【請求項５】
請求項１ないし４のうちのいずれかの項において、
前記紙幣挿入口は、紙幣を縦にした状態でその長辺側の縁からその幅方向に受け入れ可能なものであり、
前記紙幣挿入口の後側に前記紙幣識別部が配置され、
前記金庫は前記紙幣識別部の上側に配置され、
前記紙幣挿入口から挿入された紙幣を前記紙幣識別部を経由して前記金庫まで搬送する紙幣搬送路は、前記紙幣挿入口から挿入された紙幣をその幅方向に前記紙幣識別部まで導く水平搬送路部分と、前記紙幣識別部で真札であると判別された紙幣をその長さ方向に前記紙幣収納部まで導く垂直搬送路部分とを備えていることを特徴とする遊技台用台間機。
【請求項６】
請求項１ないし５のうちのいずれかの項において、
ＩＣカードなどの記憶媒体を挿入する媒体挿入口と、
挿入された記憶媒体に記憶されている金額情報の読取および書替えを行うリーダライタと、
前記紙幣識別部からの投入金額情報に基づき、挿入された記憶媒体に記憶されている金額情報の書替え制御を行わせる制御部とを有し、
前記媒体挿入口が前記台間機ケースの前記前面に形成されており、前記リーダライタおよび前記制御部が当該台間機ケースに内蔵されていることを特徴とする遊技台用台間機。
【請求項７】
請求項１ないし６のうちのいずれかの項において、
前記警報手段は、前記台間機ケースの前面に配置された警報ランプを備えていることを特徴とする遊技台用台間機。
【請求項８】
請求項１ないし７のうちのいずれかの項において、
前記警報手段は警告音を発生する警告音発生器を備えていることを特徴とする遊技台用台間機。
【請求項９】
請求項１ないし８のうちのいずれかの項において、
前記警報手段は、有線あるいは無線回線を介して、警報信号を発信する警報信号発生手段を備えていることを特徴とする遊技台用台間機。
【請求項１０】
請求項９に記載の遊技台用台間機と、
前記遊技台用台間機と通信回線を介して接続されているホールコンピュータと、
前記遊技台用台間機を監視するための監視カメラと、
前記監視カメラによる撮影画像を記録するための記憶装置とを有し、
前記ホールコンピュータは、前記遊技台用台間機の前記警報信号発生手段から前記警報信号を受信すると、前記監視カメラを駆動して、前記遊技台用台間機を撮影し、撮影画像を前記記憶装置に記憶保持することを特徴とする遊技システム。
【発明の詳細な説明】
【０００１】
【発明の属する技術分野】
本発明は、磁気カードやＩＣカードなどを用いてパチンコ玉などの遊技媒体の貸し出しを行う遊技台用台間機に関するものである。さらに詳しくは、紙幣識別部および金庫を備えていると共に、金庫の盗難防止機能を備えた遊技台用台間機に関するものである。
【０００２】
【従来の技術】
パチンコ玉などの遊技媒体の貸し出しを行う遊技台用台間機としては、磁気カードやＩＣカードによりパチコン玉などの遊技媒体を貸し出すプリペイド式の台間機が知られている。この形式の台間機では、そのカード挿入口にＩＣカードなどのプリペイドカードを挿入すると、そこに記憶保持されている金額情報に応じて、台間機から、あるいは遊技台から直接に、パチンコ玉などの遊技媒体が貸し出され、プリペイドカードの金額情報が、貸し出された遊技媒体に対応する金額を減算した金額情報に書替えられるようになっている。
【０００３】
このようなプリペイド式の台間機としては、紙幣などの入金機能を備え、磁気カードやＩＣカードの金額情報を、入金金額を加算した金額に書き換え可能なものが知られている。例えば、下記の特許文献１にはかかる更新機能を備えた遊技システムにおけるカード情報更新装置が開示されている。
【０００４】
入金機能を備えたプリペイド式の台間機には紙幣識別装置が搭載されており、紙幣識別装置に対して紙幣がその長さ方向に挿入されるようになっている。遊技者によって挿入された紙幣は、紙幣識別装置により真偽が判別され、真札であると判別された紙幣は、台間機の背面側に送り出される。遊技島の遊技台および台間機の背面側には遊技媒体の搬送経路と共に紙幣搬送経路が配置されている。台間機背面側に送り出された紙幣は、この紙幣搬送路に沿って搬送され、遊技島の端に設置されている金庫に集められる。金庫に回収された紙幣は、遊技店の閉店後などに店員によって回収される。
【０００５】
ここで、入金機能を備えていないプリペイド式の台間機が設置されている遊技店において、入金機能付きの台間機を導入するためには、各台間機で取り込まれた紙幣を搬送するための搬送システムを遊技島に設置する必要がある。しかしながら、遊技店によっては、遊技島の幅が狭く、遊技島における遊技台および台間機の背面に搬送システムを設置可能なスペースを取れない場合がある。この場合には、遊技島全体のレイアウト変更が必要になってしまう。
【０００６】
そこで、プリペイド式の台間機に紙幣識別装置と共に金庫を設け、挿入された紙幣を各台間機内の金庫に収納しておき、閉店後に店員などによって各台間機から紙幣を回収すれば、遊技島に紙幣搬送システムを設置する必要がなくなり、幅の狭い（奥行きの少ない）遊技島に対しても入金機能付きのプリペイド式の台間機を導入することが可能である。
【０００７】
紙幣識別部および金庫を備えた台間機は、例えば、下記の特許文献２に開示されている。ここに開示されている金庫は、台間機に対して着脱可能に取り付けられた構成となっている。
【０００８】
【特許文献１】
特開２００１−３２７７４６号公報
【特許文献２】
特開２００２−９２４号公報
【０００９】
【発明が解決しようとする課題】
しかしながら、金庫を備えた台間機においては、閉店時間となるまでの間は紙幣が各台間機の金庫に収納されている。従って、紙幣の盗難が発生しやすい状況にある。特に、台間機から着脱式の金庫は、金庫ごと、台間機から抜き取られる危険性が高い。
【００１０】
本発明の課題は、金庫に対する不正行為の発生を未然に防止可能な遊技台用台間機を提案することにある。
【００１１】
【課題を解決するための手段】
上記の課題を解決するために、本発明は、隣接配置された遊技台に対する遊技媒体の貸し出し処理を行う遊技台用台間機において、台間機ケースと、前記台間機ケースの前面に形成されている紙幣挿入口と、前記紙幣挿入口から挿入された紙幣の真偽、あるいは、真偽および種類を判別する紙幣識別部と、前記台間機ケース内に配置され、真札であると判断された紙幣を収納する金庫と、前記金庫が開けられたことを検知する金庫センサと、前記金庫センサの出力に基づき、前記金庫が開けられた旨の警報を発生する警報手段とを有していることを特徴としている。
【００１２】
前記金庫が前記台間機ケースの前面から取り外し可能なカセット式の金庫の場合には、前記金庫センサは、前記金庫が前記台間機ケースから取り外されたことを検知するものにすればよい。
【００１３】
本発明では、金庫が開けられ、あるいは金庫が台間機から抜き取られると、警報手段によって警報が発生するので、金庫に対する不正行為を未然に防止できる。
【００１４】
ここで、店員が各金庫から紙幣を回収する場合などに警報が発生しないようにするためには、前記金庫の扉をロックしているロック機構が正常に解除されたことを検知するロック解除センサと、前記ロック解除センサにより前記ロック機構が正常に解除されたことが検知された場合には、前記警報手段を不動作状態にする警報解除手段とを備えた構成を採用すればよい。
【００１５】
金庫がカセット式のものである場合には、前記金庫を前記台間機ケースに固定しているロック機構が正常に解除されたことを検知するロック解除センサと、前記ロック解除センサにより前記ロック機構が正常に解除されたことが検知された場合には、前記警報手段を不動作状態にする警報解除手段とを備えた構成を採用すればよい。
【００１６】
次に、金庫を監視カメラによって監視しやすいように、また、店員などの目に留まり易いようにするためには、金庫を台間機の上側部分に配置することが望ましい。また、奥行き寸法の小さな台間機の場合には、前記紙幣挿入口を、紙幣を縦にした状態でその長辺側の縁からその幅方向に受け入れ可能なものとし、前記紙幣挿入口の後側に前記紙幣識別部を配置し、前記金庫を前記紙幣識別部の上側に配置し、前記紙幣挿入口から挿入された紙幣を前記紙幣識別部を経由して前記金庫まで搬送する紙幣搬送路を、前記紙幣挿入口から挿入された紙幣をその幅方向に前記紙幣識別部まで導く水平搬送路部分と、前記紙幣識別部で真札であると判別された紙幣をその長さ方向に前記紙幣収納部まで導く垂直搬送路部分とを備えた構成とすることが望ましい。
【００１７】
プリペイド式の台間機の場合には、ＩＣカードなどの記憶媒体を挿入する媒体挿入口と、挿入された記憶媒体に記憶されている金額情報の読取および書替えを行うリーダライタと、前記紙幣識別部からの投入金額情報に基づき、挿入された記憶媒体に記憶されている金額情報の書替え制御を行わせる制御部とを有し、前記媒体挿入口が前記台間機ケースの前記前面に形成され、前記リーダライタおよび前記制御部が当該台間機ケースに内蔵された構成とされる。
【００１８】
次に、前記警報手段としては、前記台間機ケースの前面に配置された警報ランプを用いることができる。また、警告音を発生する警告音発生器を用いることもできる。さらに、前記警報手段が、有線あるいは無線回線を介して、警報信号を発信する警報信号発生手段であってもよい。
【００１９】
一方、本発明は遊技システムに関するものであり、本発明による遊技システムは、警報手段として少なくとも警報信号発生手段を備えた遊技台用台間機と、前記遊技台用台間機と通信回線を介して接続されているホールコンピュータと、前記遊技台用台間機を監視するための監視カメラと、前記監視カメラによる撮影画像を記録するための記憶装置とを有し、前記ホールコンピュータは、前記遊技台用台間機の前記警報信号発生手段から前記警報信号を受信すると、前記監視カメラを駆動して、前記遊技台用台間機の前面における前記金庫の取り出し部分を撮影し、撮影画像を前記記憶装置に記憶保持することを特徴としている。
【００２０】
本発明の遊技システムによれば、遊技店内に設置されている多数の台間機の状態をホールコンピュータの側において集中的に監視できる。また、金庫に対する不正行為が行われた場合には、その映像が撮影されて記憶保持されるので、防犯上好ましい。
【００２１】
【発明の実施の形態】
以下に、図面を参照して、本発明を適用した遊技台用台間機を備えた遊技システムを説明する。図１は本実施の形態に係る遊技システムを示す概略構成図であり、図２はその遊技台用台間機を示す説明図である。
【００２２】
本実施の形態に係る遊技システム１の基本的な構成は一般的なものであり、遊技島２を構成する複数の遊技ユニット３を有し、各遊技ユニット３は、パチンコ台やスロット台などの遊技台４と、遊技台４の左側に隣接配置されているプリペイド式の台間機（遊技台用台間機）５とを備えている。また、各遊技島２の台間機５に対して、島中継器６を介して通信回線７によって接続されているホールコンピュータ８を備えている。さらに、遊技店内の各部分に設置された複数台の監視カメラ９を備えており、各監視カメラ９による撮影画像は、記憶装置１０に記憶保持されるようになっている。これら監視カメラ９および記憶装置１０は、ホールコンピュータ（管理コンピュータ）８によって駆動制御される。
【００２３】
プリペイド式の台間機５は、幅が狭く上下に長い直方体形状の台間機本体ケース１１を有し、この台間機本体ケース１１の内部には、紙幣識別部１２と、紙幣収納部としてのカセット式金庫１３と、カードリーダライタ１４およびカード収納部１５が内蔵されている制御器１６とが装着されている。本例では、最も上側にカセット式金庫１３が配置され、その下に紙幣識別部１２および制御器１６がこの順序で配列されている。
【００２４】
台間機ケース１１の前面パネル１７には、紙幣識別部１２に対応する部位に、上下に延びる紙幣挿入口２１が形成されている。この紙幣挿入口２１は、紙幣Ｐを縦にした状態でその長辺側の縁から幅方向に受け入れ可能なものであり、一万円、五千円、二千円および千円の各紙幣を挿入可能である。紙幣識別部１２の上側に配置されているカセット式金庫１３は、図２において想像線で示すように、台間機ケース１１から前方に引き出して取り外すことが可能であり、電子式などのロック機構２２によって台間機ケース１１に固定されている。前面パネル１７から露出しているカセット式金庫１３の前面１３ａには、その下側の部位に、ロック機構２２の鍵穴２２ａが配置されている。ロック機構２２としては、電子錠など、各種の機構のものを採用できる。
【００２５】
紙幣識別部１２の下側に配置されている制御器１４に対峙している前面パネル１７の部位には、その上半部分に、テンキー、液晶表示画面などが配列されている操作部２３が配置され、その下半部分には、プリペイドカードＣの挿入および排出のためのカード挿入口２４が形成されている。この制御器１６の下側に配置されているカード収納部１５は、使用済みのプリペイドカードを回収するためのものである。
【００２６】
ここで、紙幣識別ユニット１２の内部には、紙幣挿入口２１から挿入された紙幣Ｐをカセット式金庫１３に搬送するための紙幣搬送路２５が形成されている。この紙幣搬送路２５は、図２において一点鎖線で示すように、紙幣挿入口２１から縦にした状態で挿入された紙幣Ｐを、そのままの姿勢で水平に後側に向けて搬送する水平搬送路部分２５ａを備えている。図２に示すように、紙幣Ｐは、紙幣挿入口２１に挿入された位置から水平搬送路部分２５ａに沿って位置Ｐ１まで搬送される。また、紙幣搬送路２５は、紙幣Ｐを位置Ｐ１から上方のカセット式金庫１３に収納された位置Ｐ２に向けて垂直に搬送する垂直搬送路部分２５ｂを備えている。カセット式金庫１３の底面には開口部２６が形成されており、カセット式金庫１３が台間機本体ケース１１に装着された状態においては、垂直搬送路部分２５ｂの上端に開口部２６が位置し、当該垂直搬送路部分２５ｂに沿って搬送されてきた紙幣Ｐが当該開口部２６からカセット式金庫１３の中に搬入されて位置Ｐ２に到るようになっている。
【００２７】
次に、台間機本体ケース１１におけるカセット式金庫１３の背面側の部位には、当該カセット式金庫１３が引き出されたことを検知するための金庫センサ２７が取り付けられている。この金庫センサ２７は、磁気センサ、光学センサなどの各種のセンサを用いることができる。センサの他には、カセット式金庫１３にＩＣチップを設け、台間機本体ケース１１にアンテナを設け、非接触式のタグによりカセット式金庫１３の有無を検知するようにしてもよいし、台間機本体ケース１１、カセット式金庫１３の双方にコネクタを設けて電気的に検知することも可能である。また、カセット式金庫１３のロック機構２２が正常に解除されたことを検出するためのロック解除センサ２８が、ロック機構２２に組み込まれている。
【００２８】
ここで、台間機本体ケース１１の前面パネル１７の上端には、台間機５がオン状態にあるか否かを表示するための表示ランプ２９が取り付けられている。また、制御器１６には警報用スピーカ３０が取り付けられている。カセット式金庫１３が不正行為により引き出された場合には、警報用スピーカ３０から警報が発せられると共に、表示ランプ２９が警報表示ランプとして機能する。制御器１６は警報信号発生手段として機能して、島中継器６および通信回線７を介して、カセット式金庫１３が不正行為により引き出された旨の警報信号を、ホールコンピュータ８に向けて送信する。
【００２９】
図３は、制御器１６を中心として行われるカセット式金庫１３が引き出される場合の警報動作を示す概略フローチャートである。制御器１６は、ロック解除センサ２８および金庫センサ２７の出力を監視している（ステップＳＴ１、ＳＴ２）。ロック解除センサ２８がオンすると、カセット式金庫１３のロック機構２２が正常に解除されたものと判断して、その旨を表す信号をホールコンピュータ８に送信する（ステップＳＴ３）。
【００３０】
ロック解除の通報を受けたホールコンピュータ８は、監視カメラ９を駆動して、ロック機構２２が解除された台間機５を視野内に入れ、台間機５からカセット式金庫１３が取り出されて紙幣が回収される場面を撮影し、撮影画像を記憶装置１０に記憶保持する。
【００３１】
金庫センサ２７は、カセット式金庫１３が引き出されるとオンに切り替わり、台間機ケース本体１１に収納されている状態ではオフ状態に保持されている。ロック解除センサ２８がオンすることなく、金庫センサ２７がオンした場合には、制御器１６は、カセット式金庫１３が不正行為により引き出されたものと判断して、警告表示動作を行う。すなわち、表示ランプ２９を、予め定められている警告表示形態で駆動する（ステップＳＴ４）。同時に、警報用スピーカ３０を駆動して、警告音を発生させる（ステップＳＴ５）。さらに、警報信号をホールコンピュータ８に向けて送信する（ステップＳＴ６）。
【００３２】
ホールコンピュータ８は、警報信号を受信すると、その画面に警報表示を行うと共に、ロック解除の通報を受けた場合と同様に、監視カメラ９を駆動して、警報が発せられている台間機５を視野内に入れ、台間機５からカセット式金庫１３が取り出されている場面を撮影し、撮影画像を記憶装置１０に記憶保持する。
【００３３】
警報発生状態の解除は、例えば、ホールコンピュータ８の側から警報解除信号を送信し、台間機５の制御器１６の側においてこれを受信することにより行うことができる（ステップＳＴ７、８）。
【００３４】
このように、本実施の形態に係る遊技システム１では、各台間機５において、カセット式金庫１３が不正行為により台間機本体ケース１１から引き出されたことを検知すると警報を発生する防犯機能が備わっている。また、警報信号がホールコンピュータ８に送信され、警報発生元の台間機５が監視カメラ９によって撮影され、その撮影画像が記憶装置１０に記憶保持される。従って、カセット式金庫１３が不正行為により引き出されて現金が奪われることを未然に防止できる。また、監視カメラ９により不正行為の撮影が行われるので、現金盗難が発生した場合の事後処理も迅速に行うことができる。
【００３５】
なお、台間機５には警報手段として、表示ランプ２９、警報用スピーカ３０、制御器１６によって実現される警報信号発生手段とが備わっている。これらの全てを用いてもよいが、一つあるいは二つのみを用いることも可能である。
【００３６】
また、本例における金庫センサ２７は、カセット式金庫１３が引き出されたことを検知するための手段であるが、例えば、カセット式金庫１３にＲＯＭやＩＣチップなどの記憶手段を設けてシリアル番号や識別番号などを予め記憶させておき、台間機本体ケース１１にシリアル番号や識別番号を読み取る手段を設け、不正なカセット式金庫１３が台間機本体ケース１１に取り付けられたことを検知した場合でも警報を発生させるようにしてもよい。
【００３７】
さらに、本例の台間機５では紙幣収納部がカセット式金庫１３であるが、台間機ケース本体１１に固定されている金庫を備えている場合にも本発明を適用できる。この場合には、金庫の扉が不正行為により開けられたことを検知するセンサを取り付け、このセンサの出力に基づき、警報を発生させるようにすればよい。
【００３８】
一方、各遊技店のホールコンピュターをインターネットなどの通信回線を介して、例えば警備会社のサーバに接続し、台間機で発生した警報信号をホールコンピュータから警備会社のサーバに送信して、警報表示を行うようにすることもできる。このようにすれば、不正行為が検出された場合における対応を迅速に行うことができる。
【００３９】
【発明の効果】
以上説明したように、本発明においては、台間機に取り付けられている金庫が、不正行為により開けられた場合、あるいは台間機本体ケースから引き出された場合に、警報を発生するようにしている。また、監視カメラによって不正行為が検出された台間機を撮影するようにしている。従って、本発明によれば、現金盗難に繋がる不正行為を未然に防止できる。また、不正行為に対する対応も迅速に行うことができる。
【図面の簡単な説明】
【図１】本発明を適用した遊技システムを示す概略構成図である。
【図２】図１の遊技システムの台間機を示す説明図である。
【図３】図１の遊技システムの各台間機での警報動作を示す概略フローチャートである。
【符号の説明】
１    遊技システム
２    遊技島
３    遊技ユニット
４    遊技台
５    台間機（遊技台用台間機）
６    島中継器
７    通信回線
８    ホールコンピュータ
９    監視カメラ
１０  記憶装置
１１  台間機ケース
１２  紙幣識別部
１３  カセット式金庫
１４  カードリーダライタ
１５  カード収納部
１６  制御器
２１  紙幣挿入口
２２  ロック機構
２４  カード挿入口
２５  紙幣搬送路
２５ａ  水平搬送路部分
２５ｂ  垂直搬送路部分
２７  金庫センサ
２８  ロック解除センサ
２９  表示ランプ
３０  警報用スピーカ
Ｐ  紙幣
Ｃ  プリペイドカード
【図１】
2004209097.tif 000003
【図２】
2004209097.tif 000004
【図３】
2004209097.tif 000005